(57)【要約】【課題】スマートな介護用排泄物処理装置を提供する。【解決手段】スマートな介護用排泄物処理装置は、集便器１と、集便器１と接続する連結ホース２と、連結ホース２と接続する汚物収納器３と、を含む。集便器１は装着部４と装着部４に設けられるシリコーンゴムカバー５とを備える。シリコーンゴムカバー５は少なくとも２層の蛇腹層６と蛇腹層６の外側に設けられる皮膚接触層７とを含む。隣り合う２層の蛇腹層６は互いに重なり合う。【選択図】図１
2013536026.tif 000002
【特許請求の範囲】
【請求項１】
集便器（１）と、前記集便器（１）と接続する連結ホース（２）と、前記連結ホース（２）と接続する汚物収納器（３）と、を含み、
前記集便器（１）は装着部（４）と前記装着部（４）に設けられるシリコーンゴムカバー（５）とを備え、前記シリコーンゴムカバー（５）は少なくとも２層の蛇腹層（６）と前記蛇腹層（６）の外側に設けられる皮膚接触層（７）とを含み、隣り合う２層の前記蛇腹層（６）は互いに重なり合うことを特徴とするスマートな介護用排泄物処理装置。
【請求項２】
前記装着部（４）は、装着前部（４１）と装着後部（４２）とを備え、前記装着前部（４１）と前記シリコーンゴムカバー（５）との間には伸縮可能な弾性素材からなる支持側壁（８）が設けられていることを特徴とする請求項１に記載のスマートな介護用排泄物処理装置。
【請求項３】
前記伸縮可能な弾性素材はシリコーンゴムであることを特徴とする請求項２に記載のスマートな介護用排泄物処理装置。
【請求項４】
前記装着前部（４１）の形状は円弧形で、前記装着前部（４１）と前記装着後部（４２）とは一体に接続され、人体の下半身に装着される排泄物収集口（４３）を形成することを特徴とする請求項２に記載のスマートな介護用排泄物処理装置。
【請求項５】
前記排泄物収集口（４３）内には風吹出し口（９）と吐水口（１０）とが設けられていることを特徴とする請求項４に記載のスマートな介護用排泄物処理装置。
【請求項６】
前記排泄物収集口（４３）の内側壁には２本の液体導流溝（４４）が対称に設置されていることを特徴とする請求項４又は５に記載のスマートな介護用排泄物処理装置。
【請求項７】
前記液体導流溝（４４）はストリップ状の凹溝であることを特徴とする請求項６に記載のスマートな介護用排泄物処理装置。
【請求項８】
前記集便器（１）内には排泄物を収容する収容部（１１）が設けられ、前記収容部（１１）の底部には真空吸引口（１２）が設けられていることを特徴とする請求項１に記載のスマートな介護用排泄物処理装置。
【請求項９】
前記蛇腹層（６）と前記皮膚接触層（７）とは一体に接続されていることを特徴とする請求項１に記載のスマートな介護用排泄物処理装置。
【請求項１０】
前記蛇腹層（６）は伸縮可能な皺の蛇腹構造を有することを特徴とする請求項１又は９に記載のスマートな介護用排泄物処理装置。
【発明の詳細な説明】
【技術分野】
【０００１】
本発明は、介護用排泄物処理装置に関し、特に、スマートな介護用排泄物処理装置に関する。
【背景技術】
【０００２】
現在、人々の生活水準の向上に伴い、脳心血管等の疾患により自立的に排泄不能な寝たきりの病人が年々増え続け、家庭、社会に対し非常に大きな負担となっている。病人が自立的に排泄不能であるため、看護人の手助けが必要である。また、排泄時間が決まっていないため、病人も辛抱しなければならず、特に精神的な負担となっている。しかし、既存技術には、介護用排泄物処理装置の排泄物収集口が人体の下半身に密着できず、病人の排泄物が横或いは後ろに漏れやすく、後片付けする看護人の負担を増加させているという問題がある。
【発明の概要】
【発明が解決しようとする課題】
【０００３】
本発明は、上記従来技術の問題を解消するためになされたものであり、人体の下半身に密着でき、排泄物が横或いは後ろに漏れなく、安心かつ快適に使用できるスマートな介護用排泄物処理装置を提供することを目的とする。
【課題を解決するための手段】
【０００４】
上記の目的を達成するための本発明に係るスマートな介護用排泄物処理装置は、集便器と、前記集便器と接続する連結ホースと、前記連結ホースと接続する汚物収納器と、を含む。前記集便器は装着部と前記装着部に設けられるシリコーンゴムカバーとを備える。シリコーンゴムカバーは少なくとも２層の蛇腹層と前記蛇腹層の外側に設けられる皮膚接触層とを含む。隣り合う２層の前記蛇腹層は互いに重なり合う。
【０００５】
前記集便器は、使用者の下半身に装着され、排泄物を検知する。前記汚物収納器は、排泄物を処理および貯蔵し、前記連結ホースを通じて前記集便器に接続している。これにより、排泄物をスマートに収集、処理する目的を達成し、かつ使用者の排泄部位をケアする。
【０００６】
皮膚接触層は、シリコーンゴムカバーの最も外側に位置する表層で、蛇腹層と接続して、外側に向けて平らに広がっている。真空ポンプが運転されると、真空吸引口は空気を吸引し始める。大気圧の作用を受けて、該シリコーンゴムカバーの蛇腹構造の皺部分は広がり、最も外側に位置する表層の皮膚接触層は人体の下半身の皮膚に密着する。これにより、排泄物の外側への漏れを防ぐ。折畳み可能に設計された蛇腹構造は弾性変形のストロークを増加させ、体格の異なる人に装着できる排泄物収集口を提供する。積層式に設計された蛇腹層は、使用者による使用過程において、シリコーンゴムカバーが内巻きすることを防ぎ、装着し易くする。
【０００７】
好しくは、前記装着部は、装着前部と装着後部とを備え、前記装着前部と前記シリコーンゴムカバーとの間には伸縮可能な弾性素材からなる支持側壁が設けられている。前記支持側壁は、装着前部と人体の内股とが接触する部位に位置し、前記シリコーンゴムカバーと前記装着前部とに接続し、且つ左右対称となっている。前記支持側壁間の距離は引伸ばされることができ、体格の異なる人の装着に適用できる。
【０００８】
好しくは、前記伸縮可能な弾性素材はシリコーンゴムである。
【０００９】
好しくは、前記装着前部の形状は円弧形で、前記装着前部と前記装着後部とは一体に接続され、人体の下半身に装着される排泄物収集口を形成する。前記装着前部は使用者の下半身の前部分に装着され、前記装着後部は使用者の臀部に装着される。上記装着前部と装着後部とは一体的に接続され、自然状態においては互いに近寄り、その接続する関節部分は一定強度の引張と押圧に耐えられ、体格の異なる使用者の装着に供される。
【００１０】
好しくは、前記排泄物収集口内には風吹出し口と吐水口とが設けられている。
【００１１】
好しくは、前記排泄物収集口の内側壁には２本の液体導流溝が対称に設置されている。前記シリコーンゴムカバーは人体の臀部まで延伸し、徐々に積層式に設計された蛇腹構造から単層の皮膚接触面へ変わって前記液体導流溝を形成する。前記導流溝に沿って小便を前記集便器の収容部内に流れ込ませ、小便の外側への漏れを防ぐ。
【００１２】
好しくは、前記液体導流溝はストリップ状の凹溝である。
【００１３】
好しくは、前記集便器内には排泄物を収容する収容部が設けられ、前記収容部の底部には真空吸引口が設けられている。
【００１４】
好しくは、前記蛇腹層と前記皮膚接触層とは一体に接続されている。
【００１５】
好しくは、前記蛇腹層は伸縮可能な皺の蛇腹構造を有する。
【発明の効果】
【００１６】
本発明に係る介護用排泄物処理装置によれば、排泄物収集口は人体の下半身と密着でき、病人の排泄物が横或いは後ろに漏れない。このため、後片付けする看護人の負担が低減される。操作も非常に簡便であるため、老人又は病院の患者の使用に適しており、高い経済性や実用性を有する。
【図面の簡単な説明】
【００１７】
【図１】本発明に係る介護用排泄物処理装置の全体の構造を示す図である。
【図２】集便器の断面図である。
【図３】集便器の斜視図である。
【図４】図３の正面図である。
【発明を実施するための形態】
【００１８】
以下、添付した図面を参照して、本発明の実施形態を説明する。
【００１９】
図１乃至図４に示すように、スマートな介護用排泄物処理装置は、集便器１と、集便器１と接続する連結ホース２と、連結ホース２と接続する汚物収納器３と、を含む。集便器１は装着部４と装着部４に設けられるシリコーンゴムカバー５とを備える。シリコーンゴムカバー５は少なくとも２層の蛇腹層６と蛇腹層６の外側に設けられる皮膚接触層７とを含む。隣り合う２層の蛇腹層６は互いに重なり合う。蛇腹層６と皮膚接触層7とは一体的に接続されており、蛇腹層６は伸縮可能な皺の蛇腹構造を有する。
【００２０】
集便器１は、使用者の下半身に装着され、排泄物を検知する。汚物収納器３は、排泄物を処理および貯蔵し、連結ホース２を通じて集便器１に接続されている。これにより、排泄物をスマートに収集、処理する目的を達成し、かつ使用者の排泄部位をケアする。
【００２１】
装着部４は、装着前部４１と装着後部４２とを備える。装着前部４１とシリコーンゴムカバー５との間には伸縮可能な弾性素材からなる支持側壁８が設けられている。伸縮可能な弾性素材はシリコーンゴムである。
【００２２】
装着前部４１の形状は円弧形で、装着前部４１と装着後部４２とは一体に接続され、人体の下半身に装着される排泄物収集口４３を形成する。
【００２３】
排泄物収集口４３内には風吹出し口９と吐水口１０とが設けられている。
【００２４】
排泄物収集口４３の内側壁には２本の液体導流溝４４が対称に設置されている。液体導流溝４４はストリップ状の凹溝である。
【００２５】
集便器１内には排泄物を収容する収容部１１が設けられ、収容部１１の底部には真空吸引口１２が設けられている。
【００２６】
皮膚接触層７は、シリコーンゴムカバー５の最も外側に位置する表層で、蛇腹層６と接続し、外側に向けて平らに広がっている。真空ポンプが運転されると、真空吸引口１２は空気を吸引し始める。大気圧の作用を受けて、該シリコーンゴムカバー５の蛇腹構造の皺部分は広がり、最も外側に位置する表層の皮膚接触層７は人体の下半身の皮膚に密着する。これにより、排泄物の外側への漏れを防ぐ。折畳み可能に設計された蛇腹構造は弾性変形のストロークを増加させ、体格の異なる人に装着できる排泄物収集口４３を提供する。積層式に設計された蛇腹層６は、使用者による使用過程において、シリコーンゴムカバー５が内巻きすることを防ぎ、装着し易くする。
【００２７】
シリコーンゴムカバー５は人体の臀部まで延伸し、徐々に積層式に設計された蛇腹構造から単層の皮膚接触面へ変わって液体導流溝４４を形成する。液体導流溝４４に沿って小便を集便器１の収容部11内に流れ込ませ、小便の外側への漏れを防ぐ。
【００２８】
支持側壁８は、装着前部４１と人体の内股とが接触する部位に位置し、シリコーンゴムカバー５と装着前部４１とに接続し、且つ左右対称となっている。支持側壁８間の距離は引伸ばされることができ、体格の異なる人の装着に適用できる。
【００２９】
装着前部４１は使用者の下半身の前部分に装着され、装着後部４２は使用者の臀部に装着される。上記装着前部４１と装着後部４２とは一体に接続され、自然状態においては互いに近寄り、その接続する関節部分は一定強さの引張と押圧に耐えられ、体格の異なる使用者の装着に供する。
【００３０】
本発明に係る介護用排泄物処理装置によれば、排泄物収集口は人体の下半身と密着でき、病人の排泄物が横或いは後ろに漏れない。このため、後片付けする看護人の負担が低減される。操作も非常に簡便であるため、老人又は病院の患者の使用に適しており、高い経済性や実用性を有する。
【００３１】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【符号の説明】
【００３２】
１  集便器、
２  連結ホース、
３  汚物収納器、
４  装着部、
５  シリコーンゴムカバー、
６  蛇腹層、
７  皮膚接触層、
８  支持側壁、
９  風吹出し口、
１０  吐水口、
１１  収容部、
１２  真空吸引口、
４１  装着前部、
４２  装着後部、
４３  排泄物収集口、
４４  液体導流溝。
【図１】
2013536026.tif 000003
【図２】
2013536026.tif 000004
【図３】
2013536026.tif 000005
【図４】
2013536026.tif 000006
【国際調査報告】
2013536026.tif 000007
2013536026.tif 000008
2013536026.tif 000009
2013536026.tif 000010